(57)【要約】【課題】結婚披露宴や各種祝賀会等の集会で複数の撮影者が撮影した写真を迅速かつ効率よく希望者に配布するに適した写真配布システムを提供する。【解決手段】集会の出席者の中から予め管理者を選定しておき、各出席者には、当個人を特定する情報と前記管理者のコンピュータへの接続情報を記録したＩＣタグをそれぞれ配布しておく。撮影者は、自分が撮影した写真の画像データを、インターネットを介して前記管理者のコンピュータに送信し、管理者は、撮影者から送信された画像データを配布に便利なように区分して保存し、配布希望者は管理者のコンピュータにアクセスして画像データを受け取る。管理者のコンピュータへの接続を、予め配布されたＩＣタグに記録されている情報をＩＣリーダで読み取ることにより行う。【選択図】図７
2013171510.tif 000002
【特許請求の範囲】
【請求項１】
結婚披露宴、祝賀会等の集会で撮影した写真を当該集会の出席者を含む関係メンバーに配布するために採用するに適した写真配布システムであって、当該集会の関係メンバーの中から適当な人物を管理者として選任しておき、各メンバーには、各メンバーを特定する情報と前記管理者のコンピュータへの接続情報を記録したＩＣタグをそれぞれ配布しておき、前記メンバーのうち写真の撮影者は、自分が撮影した写真の画像データをインターネットを介して前記管理者のコンピュータに送信することとし、管理者は、撮影者から送信された画像データをその内容に応じてファイルに振分けて保存するとともに、各メンバーに対しそれぞれ配布すべき画像データが保存されているファイルを指定することにより、各メンバーが写真の配布を受けるため管理者のコンピュータにアクセスしたとき、当該メンバー向けに指定したファイルの画像データが送信されるように構成し、かつ、前記撮影者から管理者側へのデータ送信と、配布を希望するメンバーから管理者のコンピュータへのアクセスを、予め配布されたＩＣタグに記録されている情報をＩＣリーダで読み取ることにより実行できるようにしたことを特徴とする写真配布システム。
【請求項２】
各メンバーを特定する情報と接続情報が記録された前記ＩＣタグが、他の情報を記録する他のＩＣタグとともに、一つのシート状台材に複数個保持されている請求項１に記載の写真配布システム。
【請求項３】
シート状台材がマウスパッドである請求項２に記載の写真配布システム。
【発明の詳細な説明】
【技術分野】
【０００１】
本発明は、結婚披露宴、祝賀会等、多くの人が集まる集会で、出席者が撮影した写真を他の出席者やその他の関係者に配布するために使用するに適した写真配布システムに関するものである。
【背景技術】
【０００２】
結婚披露宴では、多数の出席者がそれぞれ種々の場面で撮影を行っている。この場合、多数の撮影者が多数の写真を撮影するので、写真の絶対数が多くなり、得られる画像は一部重複するものはあっても、全体としてバラエティーに富んだものとなる。
【０００３】
一方、出席者は、当日撮影された種々の写真、特に自分に関係のある写真を見たいと願い、かつ永く保存したいと思うのが人情である。しかしながら、撮影者は自己が撮影した画像を見ることはできても、特に依頼しない限り他の撮影者が撮影した写真を見ることはできない。また、自分で撮影を行わない出席者は、撮影者が知人である以外は他の出席者が撮影した画像を見る機会がない。
【０００４】
このような場合に撮影した写真を見たいという要望に応えるため、従来は、当日に撮影した写真を撮影者が複製して知人等に郵送等で配布していたが、この方法では、撮影者に多大の負担がかり、しかも所要日数も多くなるので、より簡便かつ迅速に配布することのできる配布方法に対する要望が強かった。
【０００５】
ところで、写真の撮影は、従来のようなフィルムを用いるカメラではなく、デジタルカメラや携帯電話付設のデジタルカメラを用いて行われるのが今では一般的となっている。この種のデジタルカメラで撮影した画像は、画像データとしてインターネット等のネットワークを介して送受信することができるので、これを写真の配布に利用するのが便利である。
【０００６】
これらの点を考慮すると、例えば結婚披露宴を主催した主催者か、新郎新婦のような適当なメンバーが管理者となり、当日の出席者が個々に撮影した種々の写真の画像データをインターネットを利用して一まとめに集約して、各出席者にインターネットを介して配信することとすれば便利である。この場合、画像データの送受信を簡単かつ紛れのないものとする必要があるが、これには各出席者を特定する情報を記録したＩＣタグを利用することが考えられる。
【０００７】
なお、インターネットを利用して画像データを送信するものとしては下記特許文献１に記載の技術があり、ＩＣタグを利用しやすい形に保持するものとして下記特許文献２に記載のものがある。
【先行技術文献】
【特許文献】
【０００８】
【特許文献１】特許第４６０４４９７号公報
【０００９】
【特許文献１】特許第４７７９４３２号公報
【発明の概要】
【発明が解決しようとする課題】
【００１０】
上記特許文献１に記載のものは、顧客端末装置からネットワーク上のサーバを介して撮影写真の画像データ及び写真プリントの注文内容に関する注文データを受信し、該注文データに従って画像処理を実行し、プリント写真の束をプリント要求ごとに仕分けして所定のトレイの排出する写真処理装置であって、集会の出席者が個々に撮影した写真を他の出席者に配布するものではない。また、上記特許文献2に記載のものは、複数のＩＣタグを利用しやすいようにシート状台材に保持するもので、写真配布に関する記載はない。
【００１１】
本発明は、上記事情に鑑み、集会の出席者のうち、撮影者が撮影した写真の画像データを用いて、他の出席者に写真を迅速かつ確実に配布することのできるシステムを提供することを課題としている。
【課題を解決するための手段】
【００１２】
上記課題を解決するため、次のような構成を採用した。すなわち、請求項１に記載の発明は、結婚披露宴、祝賀会等の集会で撮影した写真を当該集会の出席者を含む関係メンバーに配布するために採用するに適した写真配布システムであって、当該集会の関係メンバーの中から適当な人物を管理者として選任しておき、各メンバーには、各メンバーを特定する情報と前記管理者のコンピュータへの接続情報を記録したＩＣタグをそれぞれ配布しておき、前記メンバーのうち写真の撮影者は、自分が撮影した写真の画像データをインターネットを介して前記管理者のコンピュータに送信することとし、管理者は、撮影者から送信された画像データをその内容に応じてファイルに振分けて保存するとともに、各メンバーに対しそれぞれ配布すべき画像データが保存されているファイルを指定することにより、各メンバーが写真の配布を受けるため管理者のコンピュータにアクセスしたとき、当該メンバー向けに指定したファイルの画像データが送信されるように構成し、かつ、前記撮影者から管理者側へのデータ送信と、配布を希望するメンバーから管理者のコンピュータへのアクセスを、予め配布されたＩＣタグに記録されている情報をＩＣリーダで読み取ることにより実行できるようにしたことを特徴としている。
【００１３】
また、請求項２に記載の写真配布システムは、上記請求項1に記載のシステムにおいて、各メンバーを特定する情報と接続情報が記録された前記ＩＣタグが、他の情報を記録する他のＩＣタグとともに、一つのシート状台材に複数個保持されているものである。さらに請求項３に記載のものは、このシート状台材がマウスパッドであるものである。
【発明の効果】
【００１４】
本発明にかかる写真配布システムは、撮影者が撮影した写真の画像データを、インターネットを介して一旦管理者のコンピュータに送信し、管理者は送信された複数の画像データを配布に適したように分類して各メンバーにインターネットを介して供給するので、郵送等の手段に比べて簡単かつ迅速に配布することができる。画像データを入手したメンバーは、公知のソフトを用いて画像化し、ディスプレイに表示することができ、プリンタを用いて印刷することもできる。
【００１５】
各メンバーのパソコンと管理者のコンピュータとの接続は、各メンバーを特定する記号と、接続のための情報（ＵＲＬ等）が記録されたＩＣタグの情報をＩＣリーダで読み取ることにより行うので、接続操作を簡単かつ確実に行うことができる。しかも機密性が高く混同等の生じないＩＣタグを使用して送受信を行うので、誤信等の問題が生じず、安心である。ＩＣタグは記録できる情報量が大きいので、付加的に種々のデータを記録することも可能である。例えばアクセス回数やアクセス者の記録も可能である。また、これを利用すると、特定の人物だけがアクセス可能となるので、セキュリティの点でも好ましい。
【００１６】
なお、請求項２に記載のように、このＩＣタグを他の情報が記録された他のＩＣタグとともに一つのシート状台材に取付けておけば、小さなＩＣタグでも紛失を防止でき、同時に他の情報も入手できるので好ましい。シート状台材としては、請求項３に記載のように、マウスパッドを使用すれば、パソコン操作に便利である。
【図面の簡単な説明】
【００１７】
【図１】本発明のシステムの構成の概要を例示する説明図である。
【図２】パソコンの構成を表すブロック図である。
【図３】マウスパッド（シート状台材）の平面図である。
【図４】送信者（撮影者）の処理手順を表すフローチャートである。
【図５】管理者側の処理手順を表すフローチャートである。
【図６】配布希望者の処理手順を表すフローチャートである。
【図７】送信された画像データの処理方法を表す図である。
【図８】配布希望者と配布するファイルの関係を表す図である。
【発明を実施するための最良の形態】
【００１８】
以下、集会の例として結婚披露宴を取り上げ、その出席者をメンバーとして、本発明の好ましい実施形態について具体的に説明する。なお、メンバーとしては、何らかの都合で出席できなかった親族や友人も含まれる。図１は本発明のシステムを例示する構成説明図である。同図に示されているように、このシステムは、この集会に出席したメンバーＭと管理者Ｃとで構成され、両者がコンピュータでインターネットＷを介して接続可能となっている。メンバーＭのうちの多くが撮影者Ｍｓとなっている。また、管理者Ｃは、当該集会の主催者等が選任すればよく、例えば新郎、新婦や、結婚式を主催した者等、写真の配布に必要な程度に出席者に関する知識を持っている者とする。
【００１９】
各メンバーＭのパソコンは、図２に示す如くインターネット通信等に通常使用されているものと同じで、ＣＰＵ、ＲＯＭ，ＲＡＭ、ハードディスク等のハードウエアが装備され、前記ハードディスクには種々のソフトウエアが記億されている。このパソコンには、ディスプレイ、キーボード、マウス、ＩＣリーダ（リーダライタ）等の必要なデバイスが接続されている。この基本構成にＩＣタグを保持したシート状台材、例えばマウスパッド等のＩＣタグ取付け部にタッチするＩＣリーダ（通常はＩＣリーダ／ライタとして構成されている）が必要である。なお、ＩＣリーダ／ライタは既に市販されているが、マウスに組み込まれていればなお利便性が増す。また、携帯電話の機種により既にプリインストールされているものもある。
【００２０】
このシステムでは、結婚披露宴に出席する者（メンバー）を特定する情報と、管理者のコンピュータに対する接続情報（ＵＲＬ等）が記録されたＩＣタグを予め用意しておき、披露宴当日（場合によっては前日でも披露宴の後でもよい）にこれを各メンバーに配布する。すべてのＩＣタグには、当該タグを特定する記号が付されているので、この記号を各メンバー特定用の記号とし、これとこれを配布する個人とを関連付けて記録しておき、各ＩＣタグをこれに対応する個人に配布すればよい。誤って他人に渡さないように注意が必要である。なお、他の手段として、ＩＣタグをＩＤ番号やパスワードで出席者を特定しないで配布して、出席者の初期設定時にＩＣタグと個人を関係付ける手段もある。また、個人がパスワードを設定可能とすれば情報は守れるが、いずれにしても、これらは公知の技術である。
【００２１】
ＩＣタグは、ＣＰＵ，ＲＯＭ．ＲＡＭ，Ｉ／Ｏインターフェース回路等が集積された半導体チップと、アンテナコイルを備えている。このＩＣタグは、受動型のタグであり、ＩＣリーダ（リーダ／ライタ）から受ける電波で必要な電力を発生して当該ＩＣリーダとの間で交信する。
【００２２】
この実施形態では、図3に示すように、本発明で使用するＩＣタグが他のＩＣタグと共に一つのシート状台材Ｐに保持されている。図示例の台材Ｐはマウスパッドであり、これに４個のＩＣタグＴ（ａ，ｂ，ｃ，ｄ）が埋設されていて、表面は滑らかな平面となっている。このマウスパッドＰの表面には、ＩＣタグが埋設されている位置に当該ＩＣタグが存在することを表示する文字，図柄等が表示されている。
【００２３】
このように、小さくて紛失しやすいＩＣタグをシート状の台材に取付けておけば、紛失の恐れがなく、取扱にも便利である。この場合、複数のＩＣタグを一緒に取付けておけば、種々の情報を得ることができるので便利である。また、台材に所望のデザインを施すこともできる。なお、台材Ｐとしては、上記マウスパッドに限らず、例えば絵葉書等を利用してもよい。デザイン付きのマウスパッドや絵葉書の形状としておけば、仕分けし易いので長期間の保存にも便利である。
【００２４】
一つの台材に複数のＩＣタグを取り付ける例として、4個のＩＣタグ（ａ，ｂ，ｃ，ｄ）をマウスパッドに埋設しておく例を取り上げて説明する。4個のＩＣタグをそれぞれ第1のタグ（ａ）、第2のタグ（ｂ）、第3のタグ（ｃ）、第4のタグ（ｄ）と呼ぶことにする。第1のタグ（ａ）は、書き換えのできない読み取り専用のタグで、新郎新婦のプロフィールや感謝の言葉等を記録しておく。第2のタグ（ｂ）は、撮影者が画像データを管理者に送信するために使用するＩＣタグとする。
【００２５】
第3のタグ（ｃ）は、配布希望者が管理者のコンピュータにアクセスするためのＩＣタグとする。配布希望者は、このＩＣタグをＩＣリーダで読み取ることにより、簡単かつ確実に管理者のコンピュータに接続することができる。また、第4のタグ（ｄ）は、各メンバーがプライベートに使用するＩＣタグとする。このタグには、メンバー自身が撮影した写真を保存するために使用してもよいが、このタグに企業や商店のＰＲを記録しておくことも可能である。例えば結婚式に相応しい旅行会社やホテル等のＰＲを記録しておいてもよい。
【００２６】
つぎに、このシステムの手順について説明する。撮影が行われる当日に、管理者が全撮影者に撮影した画像データを管理者に送信してくれるよう依頼しておく。後日、メールや文書で依頼してもよい。このとき、他の出席者に配布する旨を告げて、配布してもよい旨の了承を得ておく。
【００２７】
この趣旨を理解し賛同した撮影者（事前に撮影者の役割を決めておいてもよい）は、自己が撮影した写真の画像データを管理者のコンピュータに送信する。図４はこの処理手順を表す者である。この送信は、予め配布されているＩＣタグの記録内容をＩＣリーダでタッチするだけで読み取って行うことができるので、簡単かつ確実である。
【００２８】
複数の撮影者Ｍｓ１、Ｍｓ２，・・・から画像データを受け取った管理者Ｃは、これらをマスターデータとして保存するとともに、送られてきた画像データの内容を見て、重複しているものやプライバシーの問題がありそうなものは取り除き、残りのものを選別分類する。図５は管理者側の処理手順を表すものである。写真の分類は、例えば新郎新婦の写真、ケーキカットの写真のように全出席者に共通する写真や、新郎側の知人、新婦側の知人、新郎側の親族、新婦側の親族等、配布するに便利な区分に分類すればよい。個々の出席者について、当該出席者が写っている写真を集めて一つの区分としてもよい。図７は、撮影者Ｍｓ１，Ｍｓ２，Ｍｓ３，・・・から送信された画像データの処理を表す図であり、これら画像データは、一旦マスターデータとして保存された後、複数のファイルを設けて、内容に応じて各ファイルｆ１、ｆ２、ｆ３、・・・に振分けて保存される。
【００２９】
また、各ファイルｆ１、ｆ２、ｆ３、・・・の画像データをどのメンバーに提供すればよいかを指定し、当該指定した人物に指定のファイルの画像データが配布されるようにしておく。例えば、上記共通の写真の画像データは、すべての出席者に提供することとし、新郎側の親族の写真は、当該新郎側の親族に提供することとすればよい。図８は各メンバーＡ，Ｂ，Ｃ，・・・に対する配布ファイルの指定を表す図である。丸印が配布することを示す。このファイルと配布先の指定は、データベース等に保存しておく。保存期間については、適当に設定して、出席者（本システムを構成するメンバー）に知らせておく。
【００３０】
一方、写真の配布を希望する者（Ａ，Ｂ，Ｃ，・・・）は、自己のパソコンを管理者のコンピュータに接続し、自己向けに指定されている画像データを入手する。図６はその処理手順を表す。入手方法は、ＩＣタグにＩＣリーダ（ＩＣリーダ／ライタ）をタッチするだけでよい。管理者側では、アクセスした人物が誰であるかをＩＣタグの情報によって認識し、当該人物向けに予め指定したファイルのデータを自動的に供給することになる。上記コンピュータの接続は、予め配布されているＩＣタグの記録内容をＩＣリーダ（リーダライタ）で読み取ることによって行うので、接続を簡単かつ確実に行うことができる。また、一度に多数のメンバーがアクセスしても誤信は生じない。
【００３１】
受け取った画像データは、そのまま自己のパソコンやメモリに保存しておくことができ、公知のソフトにより画像化することができ、プリントすることもできる。撮影された多くの写真のうち、自己に関係のない写真は受け取らないので、整理も簡単である。自分に関係のない写真の配布も希望する者は、予め管理者にその旨を伝えておけばよい。
【００３２】
なお、撮影者からの画像データの提供と分類と配布先指定には時間がかかるため、その間にアクセスがあったときに画像データを提供できない場合がある。このようなときは、「現在準備中です。しばらくお待ち下さい。」等のメッセージが画面に現れるように手配しておけばよい。
【００３３】
以上に述べたとおり、本システムではＩＣタグを有効利用して、迅速な処理と誤送信が生じないようにしているので、簡単かつ確実に写真の配布を行うことができる。なお、以上の説明では、結婚披露宴を例にとって説明したが、これに限らず、他の祝賀会、例えば成人式や入学式、卒業式、或いは大勢の集まる記念行事や修学旅行等の写真配布に利用できることは言うまでもない。
【符号の説明】
【００３４】
Ｍ            メンバー（結婚披露宴の出席者）
Ｃ            管理者
【図１】
2013171510.tif 000003
【図２】
2013171510.tif 000004
【図３】
2013171510.tif 000005
【図４】
2013171510.tif 000006
【図５】
2013171510.tif 000007
【図６】
2013171510.tif 000008
【図７】
2013171510.tif 000009
【図８】
2013171510.tif 000010